(57)【要約】  本発明は、サンプル（１０２）を配布するための装置を提供する。この装置は、サンプルパッケージ（１１０）と刊行物（２０２）を含む。サンプルパッケージ（１１０）は、配布されるべきサンプル品（１０２）とサンプル台紙（１０４）を含む。サンプルパッケージ（１１０）は、サンプルパッケージ（１１０）の一部が刊行物（２０２）の中に挿入され、サンプル品（１０２）が刊行物（２０２）の外に出るように、刊行物（２０２）と結合される。【選択図】図１０ｃ
2013533182.tif 000002
【特許請求の範囲】
【請求項１】
サンプルを配布するための装置において、
配布されるべきサンプル品とサンプル台紙を含むサンプルパッケージと、
サンプル添付対象物と、
を含み、
前記サンプルパッケージが前記サンプル添付対象物に結合されることを特徴とする装置。
【請求項２】
請求項１の装置において、
前記サンプル品が、ブリスタ包装の中に収容された固体または液体製品の少なくとも一方であることを特徴とする装置。
【請求項３】
請求項１の装置において、
前記サンプル品が、バイアル、チューブ、エアロゾル噴霧器、ホイルパッケージまたは小袋のうちの少なくとも１つに収容された液体製品であることを特徴とする装置。
【請求項４】
請求項１乃至２の何れか１項の装置において、
前記サンプル品が固体であることを特徴とする装置。
【請求項５】
請求項１乃至２の何れか１項の装置において、
前記サンプル品が液体であることを特徴とする装置。
【請求項６】
請求項１乃至５の何れか１項の装置において、
前記サンプル品と前記サンプル台紙が、接着テープ、ステープルまたは糊のうちの少なくとも１つを使って結合されることを特徴とする装置。
【請求項７】
請求項１乃至５の何れか１項の装置において、
前記サンプル品と前記サンプル台紙が、紙、プラスチックまたは金属をサンドイッチ式に折り畳むことによる摩擦を通じて結合されることを特徴とする装置。
【請求項８】
請求項１乃至５の何れか１項の装置において、
前記サンプル品と前記サンプル台紙が、プラスチック製スキンパッケージを使って結合されることを特徴とする装置。
【請求項９】
請求項１乃至８の何れか１項の装置において、
前記サンプルパッケージがさらに、紙またはプラスチック製小袋の少なくとも一方を含むことを特徴とする装置。
【請求項１０】
請求項１乃至１０の何れか１項の装置において、
前記サンプル添付対象物が刊行物であることを特徴とする装置。
【請求項１１】
請求項１乃至５の何れか１項の装置において、
前記サンプル添付対象物が消費者向け商品であることを特徴とする装置。
【請求項１２】
請求項１０の装置において、
前記サンプルパッケージが、前記サンプルパッケージの平坦な面が前記刊行物の表面と平らに接触するように前記刊行物に結合されることを特徴とする装置。
【請求項１３】
請求項１２の装置において、
前記刊行物の前記表面が綴じられた背であることを特徴とする装置。
【請求項１４】
請求項１２の装置において、
前記刊行物の前記表面が前または裏表紙であることを特徴とする装置。
【請求項１５】
請求項１０の装置において、
前記サンプルパッケージが、前記サンプル台紙が前記刊行物の前または裏表紙と同一平面となるように前記刊行物に結合されることを特徴とする装置。
【請求項１６】
請求項１乃至１５の何れか１項の装置において、
前記サンプル台紙がボール紙を含むことを特徴とする装置。
【請求項１７】
請求項１乃至１５の何れか１項の装置において、
前記サンプル台紙が展開式情報記載ラベルを含むことを特徴とする装置。
【請求項１８】
請求項１乃至１５の何れか１項の装置において、
前記サンプル台紙が小冊子を含むことを特徴とする装置。
【請求項１９】
請求項１乃至１８の何れか１項の装置において、
前記サンプルパッケージが前記サンプル添付対象物に取り外し可能に結合されることを特徴とする装置。
【請求項２０】
請求項１乃至１８の何れか１項の装置において、
前記サンプルパッケージが前記サンプル添付対象物に永久的に結合されることを特徴とする装置。
【請求項２１】
請求項１乃至１８の何れか１項の装置において、
前記サンプルパッケージを前記サンプル添付対象物から取り外した時に、前記サンプル台紙の一部が前記サンプル添付対象物に残ることを特徴とする装置。
【請求項２２】
請求項１乃至２１の何れか１項の装置において、
前記サンプルパッケージが即時利用可能クーポンを含むことを特徴とする装置。
【請求項２３】
請求項１７の装置において、
前記展開式情報記載ラベルがクーポンを含むことを特徴とする装置。
【請求項２４】
請求項１７の装置において、
前記展開式情報記載ラベルが販売促進または製品情報を含むことを特徴とする装置。
【請求項２５】
請求項１３の装置において、
前記サンプルパッケージの幅が前記綴じられた背の幅と同じまたはそれより小さいことを特徴とする装置。
【請求項２６】
請求項１５の装置において、
前記サンプルパッケージの厚さが前記刊行物の厚さと同じまたはそれより小さいことを特徴とする装置。
【請求項２７】
請求項１乃至２６の何れか１項の装置において、
前記サンプル品がフルサイズ製品のミニチュア版であることを特徴とする装置。
【請求項２８】
請求項１乃至９の何れか１項の装置において、
前記サンプル添付対象物が刊行物の本カバーであることを特徴とする装置。
【請求項２９】
請求項２８の装置において、
前記サンプル品が前記刊行物の本カバーから突出することを特徴とする装置。
【請求項３０】
請求項２８の装置において、
前記サンプル品が前記刊行物の本カバーの背に取り付けられることを特徴とする装置。
【請求項３１】
ページフラッグを配布する方法において、
ページフラッグディスペンサを添付対象物に取り付けるステップであって、前記添付対象物が刊行物または消費者向け商品の少なくとも一方であるようなステップを含むことを特徴とする方法。
【請求項３２】
請求項３１の方法において、
前記添付対象物が刊行物の本カバーであることを特徴とする方法。
【請求項３３】
請求項３２の方法において、
前記ページ見出しが前記刊行物の本カバーから延びることを特徴とする方法。
【請求項３４】
請求項３１の方法において、
前記添付対象物が３穴バインダであることを特徴とする方法。
【請求項３５】
サンプルを配布する方法において、
サンプルパッケージを形成するステップであって、前記サンプルパッケージが配布されるべきサンプル品とサンプル台紙を含むようなステップと、
前記サンプルパッケージをサンプル添付対象物に結合するステップと、
を含むことを特徴とする方法。
【請求項３６】
請求項３５の方法において、
前記サンプル添付対象物が刊行物を含むことを特徴とする方法。
【請求項３７】
請求項３６の方法において、
前記結合するステップが、前記サンプルパッケージを、前記サンプルパッケージの平坦面が前記刊行物のある表面と平らに接触するように前記刊行物に取り付けるステップを含むことを特徴とする方法。
【請求項３８】
請求項３６の方法において、
前記結合するステップが、前記サンプルパッケージを、前記サンプル台紙が前記刊行物の前または裏表紙と同一平面になるように前記刊行物に取り付けるステップを含むことを特徴とする方法。
【請求項３９】
請求項３５に記載の方法において、
前記サンプル添付対象物が消費者向け商品を含むことを特徴とする方法。
【請求項４０】
サンプルを配布するための装置において、
配布されるべきサンプル品とサンプル台紙を含むサンプルパッケージと、
刊行物と、
を含み、
前記サンプルパッケージが、前記サンプルパッケージの一部が前記刊行物に挿入され、前記サンプル製品が前記刊行物の外に出るように前記刊行物に結合されることを特徴とする装置。
【請求項４１】
請求項４０の装置において、
前記サンプル品が、ブリスタ包装の中に収容された固体または液体製品の少なくとも一方であることを特徴とする装置。
【請求項４２】
請求項４０の装置において、
前記サンプル品が、バイアル、チューブ、エアロゾル噴霧器、ホイルパッケージまたは小袋のうちの少なくとも１つに収容された液体製品であることを特徴とする装置。
【請求項４３】
請求項４０の装置において、
前記サンプル品が固体であることを特徴とする装置。
【請求項４４】
請求項４０の装置において、
前記サンプル品が液体であることを特徴とする装置。
【請求項４５】
請求項４０乃至４４の何れか１項の装置において、
前記サンプル品と前記サンプル台紙が、接着テープ、ステープルまたは糊のうちの少なくとも１つを使って結合されることを特徴とする装置。
【請求項４６】
請求項４０乃至４４の何れか１項の装置において、
前記サンプル品と前記サンプル台紙が、紙、プラスチックまたは金属をサンドイッチ式に折り畳んで挟むことによる摩擦を通じて結合されることを特徴とする装置。
【請求項４７】
請求項４０乃至４４の何れか１項の装置において、
前記サンプル品と前記サンプル台紙が、プラスチック製スキンパッケージを使って結合されることを特徴とする装置。
【請求項４８】
請求項４０乃至４７の何れか１項の装置において、
前記サンプルパッケージがさらに、紙またはプラスチック製小袋の少なくとも一方を含むことを特徴とする装置。
【請求項４９】
請求項４０乃至４８の何れか１項の装置において、
前記サンプル台紙がボール紙を含むことを特徴とする装置。
【請求項５０】
請求項４０乃至４８の何れか１項の装置において、
前記サンプル台紙が展開式情報記載ラベルを含むことを特徴とする装置。
【請求項５１】
請求項４０乃至４８の何れか１項の装置において、
前記サンプル台紙が小冊子を含むことを特徴とする装置。
【請求項５２】
請求項４０乃至５１の何れか１項の装置において、
前記サンプルパッケージが前記刊行物から取り外された時、前記サンプル台紙の一部が前記刊行物に結合されたままであることを特徴とする装置。
【請求項５３】
サンプルを配布するための装置において、
本カバーに取り付けられた配布されるべきサンプル品を含むサンプルパッケージと、
刊行物と、
を含み、
前記サンプルパッケージが、前記サンプル品が前記刊行物を開かなくても見えるように前記刊行物に結合されることを特徴とする装置。
【請求項５４】
サンプルを配布するための装置において、
配布されるべきサンプル品と、チューブ状容器と、サンプル台紙と、を含むサンプルパッケージと、
刊行物と、
を含み、
前記サンプルパッケージが、前記サンプルパッケージの一部が前記刊行物の中に挿入され、前記サンプル品の入った前記チューブ状容器が前記刊行物の外に出るように、前記刊行物に結合されることを特徴とする装置。
【発明の詳細な説明】
【技術分野】
【０００１】
関連特許文献の相互参照
本願は、２０１０年７月３０日出願の“Ａｐｐａｒａｔｕｓ  ａｎｄ  Ｍｅｔｈｏｄ  ｆｏｒ  Ｄｉｓｔｒｉｂｕｔｉｎｇ  Ｓａｍｐｌｅｓ”と題する米国特許出願第１２／８４７，８７０号の優先権を主張する。本願はさらに、米国特許出願第１２／８４７，８７０号の一部継続出願である２０１１年１月２６日出願の“Ａｐｐａｒａｔｕｓ  ａｎｄ  Ｍｅｔｈｏｄ  ｆｏｒ  Ｄｉｓｔｒｉｂｕｔｉｎｇ  Ｓａｍｐｌｅｓ”と題する米国特許出願第１３／０１４，３４１号の優先権も主張する。米国特許出願第１２／８４７，８７０号の全内容と米国特許出願第１３／０１４，３４１号の全内容を、参照により本願に援用する。
【０００２】
本発明は一般に、商品のサンプル配布の分野に関する。より詳しくは、本発明は、サンプルを他の商品、たとえば雑誌、書籍、コンビニエンスストアおよび／または食料雑貨品店の販売品目、医薬品容器（１回投与分容器を含む）等に添付することによる、商品サンプルの配布に関する。これに加えて、本発明は、身近で、多くの情報が盛り込まれ、見た目も魅力的な方法でサンプルが消費者に提示されるような、個々のサンプルの包装に関する。これに加えて、本発明は、刊行物および／または商品へのページ見出し用具、たとえば、これに限定されないが、プラスチック製フラッグステッカ等の取付に関する。
【背景技術】
【０００３】
消費者の購買意欲への働きかけとして、自社の商品の無料サンプルを配布することは製造会社のよく知られたマーケティング戦略である。１９世紀のビジネスマン、Ｂｅｎｊａｍｉｎ  Ｔ．Ｂａｂｂｉｔｔが、無料サンプルを使用して広告活動を行った最初の人物の一人とされている。具体的には、Ｂｅｎｊａｍｉｎ  Ｔ．Ｂａｂｂｉｔｔが配布した無料サンプルは石鹸であった。しかしながら、無料サンプルの使用は今日の経済の中に深く浸透しており、今ではＢｅｎｊａｍｉｎ  Ｔ．Ｂａｂｂｉｔｔの石鹸業界に限定されない。
【０００４】
無料サンプルは今日の広告およびマーケティングキャンペーンにおいて一般的である。さまざまな商品の無料サンプルが常に、飴のようにハングリーな消費者の鼻先にぶら下げられている。無料サンプルとして利用できる商品は、個々の商用品目（香水や医薬品等）からサービス（ジムや割引購買クラブの会員権等）まで、多岐にわたる。しかしながら、いずれの無料サンプルにも、何の商品やサービスが「勧められている」のかを問わず、配布という１つの同じ問題が伴う。すなわち、無料サンプルが消費者に実際に提示され、受け取られないかぎり、それは訴求という所望の効果を持ちえない。簡単に言えば、箱の中にしまわれている無料サンプルに市場効果はないが、消費者の手に渡った無料サンプルには市場効果を生む可能性がある。
【０００５】
広告に無料サンプルを使用する業界の代表的な例は、男性用および女性用香水の業界である。香水の無料サンプルの配布には、さまざまな方法が用いられる。百貨店はよく、店内で消費者に配布するべき香水の無料サンプルを置いている。このようなサンプルはしばしば、２種類の方法のうちのいずれかで配布される。第一に、店員によって無料サンプルが配布され、この店員はサンプルカードまたは消費者本人にサンプルを付けてみるように申し出る。第二に、レジで無料サンプルが配布され、この場合、無料サンプルは消費者の買い物袋の中に入れられるかもしれない。これらの方法のいずれにも、多くの欠点がある。
【０００６】
第一の方法は消費者から煩わしいと否定的にとられることが多く、それゆえ、実際には製品の紹介に役立つというより、マイナスになるかもしれない。第二の方法はいろいろな理由から効果がなく、たとえば、店員がサンプルを消費者の買い物袋に入れ忘れたり、反対に多くのサンプルを入れすぎて、特定の製品が強調されなかったりする。手渡しによる香水の無料サンプルの配布には、上でいくつかを取り上げたような多数の欠点があることから、製造会社やマーケティング担当者は、別の方法で自社製品の無料サンプルを配布するようになった。
【０００７】
香水業界が採用する無料サンプル配布の１つの方法は、配布ツールとして雑誌を利用する方法である。たとえば、雑誌にはよく、香水サンプルが、雑誌に折り込まれる香水紙片の形で含められ、これは、ページを開くとマイクロカプセルに入った香水のスラリを含浸させた紙片が露出する、というものである。露出したマイクロカプセル入りの香水スラリは、香水の実際のサンプルではないが、読者がその香水の香りを嗅ぐことはできる。米国特許第５，２４８，５３７号明細書は、上述のような、香水を配布するために雑誌折込型タイプの実施形態に関する。しかしながら、このような無料サンプル配布方法には様々な欠点がある。
【０００８】
上述のような折込型の雑誌用無料サンプルの欠点は、無料サンプルが雑誌の中に入れられ、その雑誌（および香水）の潜在消費者の視野に入らない。すなわち、その雑誌の潜在消費者は、まず雑誌を開く（、そしておそらくは買う）ことをしないかぎり、広告と無料サンプルを見ることができないであろう。さらに、無料サンプルがその雑誌にとって望ましく、そのプラスのセールスポンイトとなりうる場合、内部に折り込まれるタイプの雑誌用無料サンプルでは、ある雑誌を他の雑誌の中から選んで購入させるためのインセンティブとならない。
【０００９】
上述のような折込型の雑誌用無料サンプルの欠点は、ほとんどの雑誌に多数の広告ページがあり、その場合、しばしば多くの折込型の雑誌用無料サンプルが含められる。それゆえ、無料サンプルを雑誌の１ページとして設置した場合、製造会社は無料サンプルがそのまま見過ごされ、および／またはその雑誌に含まれる他のさまざまな広告や無料サンプルの中に埋もれてしまうリスクを負う。この問題は、百貨店の店員が消費者の買い物袋の中にたくさんの無料サンプルを入れすぎるのと似ている。
【００１０】
上述のような折込型の雑誌用無料サンプルの他の欠点は、無料サンプルの可用性の欠如である。すなわち、紙片のサンプルは、消費者が広告対象の製品を購入した場合にその製品を使用すると想定されるものと同じ方法では利用できない。たとえば、雑誌に挟まれた香水紙片は、潜在消費者の皮膚にすり込んで、少量の香水を移行させることになるが、これは香水の一般的な付け方ではない。それゆえ、この方法で配布される香水の無料サンプルでは、消費者は、その消費者に製品の購入を促すのに役立つほどの期間にわたってそれを使用することができない。これに加えて、消費者は、そのような形で実際の製品が正しく表されているのか、という点で懐疑的かもしれない。
【００１１】
上述のような折込型の雑誌用無料サンプルの別の欠点は、雑誌から無料サンプルを取り外すのに、その刊行物に損傷を与えざるをえないことである。すなわち、消費者が何らかの理由で雑誌から香り付紙片を取り外したければ、その刊行物から無料サンプルを破り取るか、切り取る必要がある。このような損傷には、多くのマイナスの影響がある。たとえば、無料サンプルを含むページの裏面に含まれる内容が損なわれるため、消費者によるその雑誌の使用可能性が低下する。一般に、折込型の雑誌広告の表裏がサンプル製品の広告に使用される。しかしながら、折込型の雑誌用広告の裏面が、その雑誌による別の広告スペースとして使用される場合、この別の宣伝スペースは、折込型の広告を取り外すことによってマイナスの影響を受けるであろう。それゆえ、広告主やマーケッティング担当者が折込型の雑誌用無料サンプルの裏面の広告スペースに対して支払う料金はより安くなりがちであろう。
【００１２】
雑誌により配布される無料サンプルの他の方法は、立体の無料サンプルを添付することであり、すなわち、これは無料サンプルを雑誌の中に含めた場合に、雑誌を閉じても平らにできないような形状の無料サンプルである。このような無料サンプルは、（１）雑誌の収縮包装フィルムの中に含められるか、（２）雑誌の表紙または雑誌のページに取り付けられることが最も多い。しかしながら、これらの方法のどちらにも大きな弱点がある。
【００１３】
上記の方法の何れかにより立体の無料サンプルを添付した場合の１つの弱点は、無料サンプルのパッケージの形状と比率に直接起因する。具体的には、無料サンプルのパッケージが雑誌の表紙またはページを覆う部分が小さく、その厚さが雑誌の表紙またはページと比べて相対的に薄くなければ、この無料サンプルのパッケージは刊行物の出荷と流通の間にその雑誌および／または他の雑誌に損傷を与える原因となりうる。たとえば、香水の無料サンプルの入った小さなプラスチックのチューブが雑誌のページに取り付けられた場合、雑誌の中のそれより前のページは、無料サンプルのパッケージの形状に対応して隆起し、外観が悪くならざるをえない。
【００１４】
米国特許第４，９６８，０６１号明細書は特にこの問題に関しており、雑誌の複数のページにスロットを切り取って無料サンプルのための十分なスペースを作り、それと同時に、雑誌を閉じた時に平らになるようにする解決策を提供する。しかしながら、この解決策は受け入れられず、その理由は、これが本質的にさまざまな方法でその雑誌のサンプルより前のページに設けられる広告の価値を下げるからであり、たとえば、サンプルより前のページの広告スペースが縮小され、また、サンプルより前のページを消費者が見ると、立体の無料サンプルも見えるという、広告の「相互汚染」が発生する可能性がある。たとえば、ラルフローレンが新しい香水の広告を出す場合、消費者が印刷された同社の広告を見た時に、カルヴァンクラインの香水の無料サンプルも同時に見えてしまうのでは、ラルフローレンの満足度は下がるであろう。それゆえ、米国特許第４，９６８，０６１号明細書の発明には大きな問題がある。
【００１５】
雑誌の収縮包装フィルムの中に含められる、または雑誌の表紙または雑誌のページに取り付けられる立体の無料サンプルの別の問題は、それによって無料サンプルに損傷を与えるかもしれない圧迫点ができることである。たとえば、雑誌のあるページに取り付けられた（小さなプラスチックのチューブの形の）香水の無料サンプルの場合、雑誌が積み重ねられた時に押される圧迫点ができる。この圧迫点により、香水の無料サンプルが損傷を受け、その内容物が雑誌の中にこぼれ、それゆえ雑誌と無料サンプルが使用できない程度に損傷を受ける可能性が高くなる。この問題もまた、米国特許第４，９６８，０６１号明細書の発明により対応できるが、その方法には前述のような大きな欠点がある。
【００１６】
これに加えて、広告主とマーケティング担当者は、雑誌の表紙に無料サンプルを載せるか、単純に雑誌の収縮包装フィルムの中に無料サンプルを含めている。たとえば、ソフトウェアを保存したコンパクトディスクはコンピュータ関連の雑誌とともに収縮包装フィルムで包装されることが多い。このタイプの無料サンプル配布は、それが雑誌の潜在消費者に対する働きかけとして機能するという点ではプラスである。しかしながら、このように無料サンプルを取り付けることにより、依然として隆起の問題が生じる。この隆起の問題は、無料サンプルが添付された個々の雑誌にではなく、その雑誌とともに出荷され、流通される他の雑誌に影響を与える。すなわち、何冊もの雑誌が積み重ねられ、雑誌の各々に、表紙に取り付けられた立体の無料サンプルが添付されている場合、隆起の影響を受けない雑誌は、重ねられたもののうち一番下の雑誌だけである。同様に、隆起により最も大きな影響を受ける可能性のある雑誌は、重ねたられものの一番上のものである。この雑誌は、各雑誌の立体の無料サンプルによる隆起を合わせた分の隆起の影響を受ける。たとえば、１０冊の雑誌を積み重ね、各雑誌の表紙に０．５インチの無料サンプルが取り付けられている場合、一番上の雑誌は４．５インチの隆起の影響を受け、一番下の雑誌は隆起の影響を受けない。この隆起によって、輸送中に雑誌が反り、損傷を受ける可能性がある。これに加えて、圧力が雑誌の表紙に取り付けられた無料サンプルにも損傷を与え、またはそれを破壊する可能性がある。無料サンプルが液体であれば、これらのサンプルの損傷が、雑誌そのものへの付随的な損傷の原因となりうる。これに加えて、隆起によって、スペースが決まっている雑誌用ラック、たとえばレジカウンタの雑誌用ラックに収容できる雑誌の数が減る。
【００１７】
これに加えて、雑誌の表紙に無料サンプルを載せることによって、雑誌全体の厚さが増す。これは、ある雑誌に利用できる棚／ラックのスペースには限りがあり、雑誌全体の厚さが増すと、限られた空間に収めることのできる雑誌の数が減るため、欠点である。これに加えて、雑誌の前表紙または裏表紙に無料サンプルを載せれば必然的に、雑誌の表紙の絵またはコピーを含めたその雑誌の前表紙と裏表紙が見えなくなる。雑誌の表紙の絵は、消費者にその雑誌を購入するよう働きかけるものとなるかもしれないので、それゆえ、表紙の絵が見えなくなることは、雑誌の出版社によってマイナスとしてとられやすい。これに加えて、無料サンプルが収縮包装フィルムを使って雑誌と一緒に含められる場合、その雑誌を開けないため、書店や食料雑貨店のレジでは読むことができない。
【００１８】
共有の米国特許第５，７１６，０７５号明細書は、キャップをされて刊行物の背に取り付けられる透明のプラスチックのチューブの形の綴じ込み用製品ホルダに関する。この特許の発明は、上記の欠点の多くを解決するが、サンプル配布のすべての形態にとって適当であるとはかぎらない。たとえば、米国特許第５，７１６，０７５号明細書の製品ホルダが取り付けられた刊行物は、多くの刊行物用ディスプレイ（食料雑貨店のレジのレーンにあるワイヤラック等）に収まらない。これに加えて、多くの刊行物は非常に薄いため、比較的嵩張る米国特許第５，７１６，０７５号明細書の製品ホルダは刊行物に正しく取り付けられない。
【００１９】
それゆえ、製品サンプルを配布するための有効な方法、システムおよび装置が引き続き求められている。特に、刊行物に取り付けたサンプルの配布を進化させることが求められている。
【発明の概要】
【００２０】
本発明のある実施形態によれば、サンプルを配布するための装置が提供される。この装置は、配布されるべきサンプル品とサンプル台紙で構成されるサンプルパッケージを含む。この装置はさらに、サンプル添付対象物を含む。サンプルパッケージとサンプル添付対象物は一体化される。
【００２１】
本発明の他の実施形態によれば、ページフラッグを配布する方法が提供される。この方法は、ページフラッグディスペンサを添付対象物に取り付けるステップを含む。添付対象物は刊行物でも消費者向け商品でもよい。
【００２２】
本発明の他の実施形態によれば、サンプルを配布する方法が提供される。この方法は、配布されるべきサンプル品とサンプル台紙から構成されるサンプルパッケージを形成するステップを含む。この方法はさらに、サンプルパッケージをサンプル添付対象物に結合するステップを含む。
【００２３】
本発明の他の実施形態によれば、サンプルを配布する装置が提供される。この装置はサンプルパッケージと刊行物を含む。サンプルパッケージは、配布されるべきサンプル品とサンプル台紙を含む。サンプルパッケージは、サンプルパッケージの一部が刊行物の中に挿入され、サンプル品が刊行物の外に出るように、刊行物と結合される。
【００２４】
本発明の他の実施形態によれば、サンプルを配布するための装置が提供される。この装置は、サンプルパッケージと刊行物を含む。サンプルパッケージは、本カバーに取り付けられた配布されるべきサンプルを含む。サンプルパッケージは、前記サンプル製品が刊行物を開かなくても見えるように、刊行物に結合される。
【００２５】
本発明の他の実施形態によれば、サンプルを配布するための装置が提供される。装置は、サンプルパッケージと刊行物を含む。サンプルパッケージは、配布されるべきサンプル、チューブ状容器、およびサンプル台紙を含む。サンプルパッケージは、サンプルパッケージの一部が刊行物の中に挿入され、サンプル品の入ったチューブ状容器が刊行物の外に出るように、刊行物に結合される。
【発明の効果】
【００２６】
本発明の実施形態によれば、先行技術に対していくつかの望ましい利点が得られる。
・最大限に見えやすくすることが必要な場合の新製品の紹介が可能である。
・消費者が実際に見て、感じ、触れ、味わい、嗅ぐことができる製品の販売促進ができる。
・そのサンプルの販売促進担当者が、展示されているその製品を最大限に見えやすくすることができる（すなわち、刊行物を開くことなく、そのサンプルが見えるようにすることができる）。
・刊行物または消費者向け商品に、広告販売のための新規で利益性の高いスペースが提供される。
・展示されているサンプル品のために、非常に見やすい店頭での設置場所が提供される。
・出版社と消費者向け商品およびサンプルの広告主とのコラボから、プラスのインパクトのある印象を与えることができる（例：グッチのサンプル宣伝をボーグ誌等の高級誌の背に表示できる）。
・消費者の購買意思決定に影響を与えうる、即時利用可能クーポンのための追加のスペースが提供される。
・追加情報、たとえば、より詳しい内容の小冊子、メールインリベート、製品情報、クロスプロモーションのパンフレットおよび／または製品情報の多言語翻訳のための追加のスペースが提供される。
・ブランド認知度をより有効に高められる。
・製品サンプルの配布に必要なスペースと人的資源が削減される。
・所望の製品の無料サンプルを添付することに基づく売上を創出できる。
・３次元サンプルによる広告を採用できる。
・ターゲット層へのサンプル配布を増大できる。
・サンプルの下に永久的な広告スペースが提供される。
・消費者が、製品の近いものではなく、実際の製品を試すことができる。
・消費者が、製品の実際の使用により近い方法で、サンプルを使用することができる（例：香水を、雑誌のあるページを使用者の皮膚にこすり付けるのではなく、サンプルを使って噴霧できる）。
・サンプルパッケージの、安価な取付機構が提供される。
・サンプル配布のための専用の棚スペースを所有しない新規またはより小規模の会社に機会が提供される。
・刊行物の前表紙または裏表紙の広告スペースを妨害しない広告スペースが提供される。
・刊行物の大きさに関係なく使用できるサンプル配布方法が提供される。
・本カバーとともに使用可能なサンプル配布機構が提供される。
【００２７】
以下に、本発明の各種の実施形態のその他の用途と利点を、図面を参照しながら説明する。
【図面の簡単な説明】
【００２８】
【図１ａ】図１ａは、サンプルパッケージの図である。
【図１ｂ】図１ｂは、サンプルパッケージの図である。
【図１ｃ】図１ｃは、サンプルパッケージの図である。
【図１ｄ】図１ｄは、サンプルパッケージの図である。
【図２】図２は、刊行物に取り付けられたサンプルパッケージの図である。
【図３ａ】図３ａは、刊行物に取り付けられたサンプルパッケージの図である。
【図３ｂ】図３ｂは、刊行物に取り付けられたサンプルパッケージの図である。
【図４ａ】図４ａは、刊行物に取り付けられたサンプルパッケージの図である。
【図４ｂ】図４ｂは、刊行物に取り付けられたサンプルパッケージの図である。
【図５ａ】図５ａは、刊行物に取り付けられたサンプルパッケージの図である。
【図５ｂ】図５ｂは、刊行物に取り付けられたサンプルパッケージの図である。
【図５ｃ】図５ｃは、刊行物に取り付けられたサンプルパッケージの図である。
【図５ｄ】図５ｄは、刊行物に取り付けられたサンプルパッケージの図である。
【図５ｅ】図５ｅは、刊行物に取り付けられたサンプルパッケージの図である。
【図５ｆ】図５ｆは、消費者向け商品に取り付けられたサンプルパッケージの図である。
【図５ｇ】図５ｇは、消費者向け商品に取り付けられたサンプルパッケージの図である。
【図５ｈ】図５ｈは、消費者向け商品に取り付けられたサンプルパッケージの図である。
【図６】図６は、本カバーに取り付けられたサンプルパッケージの図である。
【図７ａ】図７ａは、本カバーに取り付けられたサンプルパッケージの図である。
【図７ｂ】図７ｂは、本カバーに取り付けられたサンプルパッケージの図である。
【図７ｃ】図７ｃは、本カバーに取り付けられたサンプルパッケージの図である。
【図７ｄ】図７ｄは、本カバーに取り付けられたページ見出し用フラッグの図である。
【図８ａ】図８ａは、３穴バインダに取り付けられたページ見出し用フラッグの図である。
【図８ｂ】図８ｂは、３穴バインダに取り付けられたサンプルパッケージの図である。
【図９ａ】図９ａは、刊行物に挿入することによって刊行物に取り付けられたサンプルパッケージの図である。
【図９ｂ】図９ａは、刊行物に挿入することによって刊行物に取り付けられたサンプルパッケージの図である。
【図１０ａ】図１０ａは、刊行物に挿入することによって刊行物に取り付けられたサンプルパッケージの図である。
【図１０ｂ】図１０ｂは、刊行物に挿入することによって刊行物に取り付けるように構成されたサンプルパッケージの図である。
【図１０ｃ】図１０ｃは、刊行物に挿入することによって、１冊の刊行物に取り付けられた複数のサンプルパッケージの図である。
【図１１ａ】図１１ａは、刊行物に挿入することによって刊行物に取り付けられたサンプルパッケージの図である。
【図１１ｂ】図１１ｂは、刊行物に挿入することによって刊行物に取り付けるように構成されたサンプルパッケージの図である。
【図１２ａ】図１２ａは、刊行物に挿入することによって刊行物に取り付けられたチューブ状容器の図である。
【図１２ｂ】図１２ｂは、刊行物に挿入することによって刊行物に取り付けられたチューブ状容器の図である。
【図１３ａ】図１３ａは、刊行物に挿入することによって刊行物に取り付けられたチューブ状容器の図である。
【図１３ｂ】図１３ｂは、刊行物に挿入することによって刊行物に取り付けるように構成された容器サンプルパッケージの図である。
【図１３ｃ】図１３ｃは、刊行物に挿入することによって刊行物に取り付けられた容器サンプルパッケージの図である。
【図１３ｄ】図１３ｄは、刊行物に挿入することによって刊行物に取り付けるように構成された容器サンプルパッケージの図である。
【図１４ａ】図１４ａは、本カバーの一部として形成されたサンプルパッケージの図である。
【図１４ｂ】図１４ｂは、サンプルパッケージが取り付けられた本カバーを有する書籍の図である。
【図１４ｃ】図１４ｃは、本カバーの一部として形成されたサンプルパッケージの図である。
【発明を実施するための形態】
【００２９】
本明細書に記載される実施形態を含み、これらに限定されない本発明は、サンプル添付対象物（刊行物および／またはその他の消費者向け商品）を使用したサンプルの配布に関する。刊行物としては、これらに限定されないが、雑誌、書籍（ハードバック、ペーパーバック、ブックカバー等を含む）、パンフレット、小冊子、チラシおよびその他これに類する印刷物等がある。消費者向け商品とは、販売または配布され、刊行物に分類されない商品を指す。すなわち、本発明の実施形態は、販売されるあらゆる製品に応用可能である。消費者向け商品としては、これらに限定されないが、ビタミン剤、化粧品、薬瓶、３穴バインダ、家庭用洗剤等がある。これに加えて、本発明は、ページ見出し用具、たとえば、これに限定されないが、プラスチック製フラッグステッカを刊行物および／または消費者向け商品、たとえば３穴バインダに取り付けることに関する。
【００３０】
液体サンプルの例としては、これらに限定さないが、香水、化粧品、食品等がある。固体サンプルの例としては、これらに限定されないが、化粧品、電子部品、医薬品、薬剤の１回分サンプル、袋入りの種、コンピュータコンポーネント、フラッシュドライブ、食品等がある。
【００３１】
たとえば、本発明によれば、少量の香水をブリスタ小型包装（すなわち、ブリスタ包装）、プラスチック容器、バイアルおよび／または小袋に入れて配布してもよい。これに加えて、本発明の実施形態によれば、無料サンプルはまた、プラスチック製スキンパッケージ、ビニール袋、紙袋、スプレー瓶、チューブ、小型包装、ホイル袋等に入れて配布してもよい。このリストは、本発明の範囲を一切限定しない。
【００３２】
他の実施形態によれば、フルサイズ製品のミニチュア版を配布することができる。たとえば、本発明のある実施形態によれば、図７ｃに示されるように、辛味ソースの液体サンプルの入った辛味ソースのミニチュア瓶を料理本（または料理本のカバー）に取り付けて、配布することができる。
【００３３】
本発明１つの実施形態によれば、図１ａに示されるように、製品サンプルは、サンプル１０２をサンプル台紙１０４に取り付けて、後に刊行物または消費者向け商品に取り付けることが可能なサンプルパッケージ１１０を作ることによって配布してもよい。サンプル１０２は、液体でも、固体でも、液体と固体の混合でもよい。サンプル台紙１０４はさまざまな物質、たとえば、これらに限定されないが、紙、プラスチックまたは金属で作製できる。これに加えて、サンプル台紙１０４は感圧性ラベルとすることができる。
【００３４】
サンプル１０２は、配布されるべき製品サンプルのための容器である。サンプル１０２は、１つの実施形態によれば、液体のための容器、たとえば、これらに限定されないが、ブリスタパック、小袋、バイアル、チューブまたはその他のあらゆる漏出防止型容器である。他の実施形態によれば、サンプル１０２は１つまたは複数の固体のための容器であり、たとえば、これらに限定されないが、プリスタパック、小袋、バイアル、チューブ、袋（繰り返し密閉可能なものと再使用不可能のもの）、ネット、プラスチック製スキンパッケージまたは、製品サンプルを格納できるその他のあらゆる容器がこれに含まれる。
【００３５】
サンプル台紙１０４は、１つの実施形態によれば、平坦なボール紙であり、そこにサンプル１０２を取り付けることができる。本発明の他の実施形態によれば、サンプル台紙１０４は、２層またはそれ以上の層を含んでいてもよく、それによってサンプル１０２の一部がサンプル台紙１０４の一番前の層から見え、および／またはその中に入って、サンプル台紙１０４の２層またはそれ以上の層の間に挟まれる。
【００３６】
本発明の実施形態によれば、サンプル１０２はさまざまな方法でサンプル台紙１０４に取り付けることができ、たとえば、これらに限定されないが、接着テープ、糊、ステープルおよび圧着（サンプル１０２がサンプル台紙１０４の２層またはそれ以上の層の間に挟まれる実施形態の場合）による。本発明の異なる実施形態によれば、サンプル１０２をサンプル台紙１０４に取り付けるのに使用される糊および／または接着剤の強度や永久性は異なる。
【００３７】
たとえば、本発明によれば、糊を使ってサンプル１０２がサンプル台紙１０４に取り付けられ、それゆえ、サンプル１０２をサンプル台紙１０４から取り外すことができない。これは、たとえば自社のブランドやマーケティング資材を香水のブリスタパックから分離させたくない広告主にとって望ましいものとなりうる。すなわち、広告主は、そのメッセージ（サンプル台紙１０４に印刷できる）がサンプル１０２を使用するたびに見えるようにしたいと望んでもよい。他の実施形態によれば、剥離性の糊を使ってサンプル１０２がサンプル台紙１０４に取り付けられ、それゆえ、サンプル１０２をサンプル台紙１０４から取り外せる。これは、たとえば潜在消費者が自社の製品を、サンプル１０２とサンプル台紙１０４の両方を使わなければならないような方法で使用することを望む広告主にとって望ましいものとなりうる。たとえば、スパイスの会社は、スパイスのサンプルをサンプル台紙１０４の中や上に印刷されたレシピと一緒に配布できる。この場合、広告主は、台所で使用しやすいように、レシピがサンプル１０２から取り外されるようにしたいと希望できる。
【００３８】
これに加えて、本発明の１つの実施形態によれば、サンプル台紙は、サンプル１０２とは別の、異なる固有の価値を有する。たとえば、上述のように、レシピはスパイスのサンプルを使い切った後もずっとその価値を有する。それゆえ、本発明の付属的な利益は、消費者がサンプル１０２とは別にサンプル台紙１０４をとっておくことができ、それによってマーケティングと広告を行うための二次的な機会が生まれることが想定される。
【００３９】
サンプルパッケージ１１０には、サンプルパッケージ１１０を刊行物または消費者向け商品に取り付けるための糊または接着剤を含めることができる。たとえば、図１ａに示されるように、サンプルパッケージ１１０は、サンプル台紙１０４に取り付けられる接着帯状片１０６を含み、刊行物または消費者向け商品に取り付けることができる。本発明の１つの実施形態によれば、接着帯状片は広告材料とともに印刷される。本発明の１つの実施形態によれば、接着帯状片１０６には切り離し線１０８が設けられ、これによってサンプル台紙１０４（ここにサンプル１０２が取り付けられている）を、接着帯状片１０６を刊行物から剥がさずに刊行物から取り外すことができる。サンプル１０２とサンプル台紙１０４を取り外せることは、本発明の１つの実施形態によれば、サンプル品を使用するために必要である。これに加えて、切り離し線１０８を使ってサンプル１０２とサンプル台紙１０４を刊行物または消費者向け商品から取り外す場合、接着帯状片１０６を剥がしている時に刊行物や消費者向け商品に損傷を与えることが防止される点と消費者にとって使いやすい点という両方の顕著な利点がある。本発明の他の実施形態によれば、切り離し線１０８は接着帯状片１０６の全長にわたっては設けられず、上下の切込みであり、これによって消費者は接着帯状片１０６を上から下にきれいに破くことができる。
【００４０】
本発明の１つの実施形態によれば、図１ａに示されるように、サンプル台紙１０４は個別情報記載領域１１２を含む。個別情報記載領域１１２は、サンプル台紙１０４上に印刷される情報より頻繁に変更される情報を印刷するための場所とすることができる。たとえば、個別情報記載領域１１２に印刷できる情報としては、これらに限定されないが、クーポン（即時利用可能クーポンを含む）、レシピ、特価提供、最新の製品情報、製品説明、製品の商標、写真、３Ｄ印刷、立体インク、浮き彫り加工されたコピー、ドーム加工印刷等がある。印刷のコピーもまたサンプルパッケージ１１０の下に設け、サンプルパッケージ１１０を取り除くと、刊行物の綴じられた部分である背または消費者向け製品に追加の永久的な広告のための製品情報やコピーが現れるようにすることもできる。後から読む読者にもそのサンプルに関連する広告により影響を与える機会が生まれる。
【００４１】
図１ｂは、本発明の他の実施形態によるサンプルパッケージ１１０の図である。この実施形態では、サンプルパッケージ１１０はサンプル１０２とサンプル台紙１０４を含み、サンプル台紙１０４は多層構造であり、折り畳み式小冊子、たとえば直線状のものを折り畳むタイプの小冊子、ブックレットラベルまたは、展開式情報記載ラベル（１１４ａ〜１１４ｄページ）等を含む。１つの実施形態によれば、これらの小冊子には、即時利用可能クーポン、メールインリベート、詳しい製品情報、クロスプロモーションのパンフレットおよび多言語翻訳を含めることができる。１つの実施形態において、サンプル１０２は、サンプル台紙１０４に設けられた打ち抜き穴から突出する。本発明の１つの実施形態において、折り畳み式小冊子の１１４ａ〜１１４ｄページは、個別情報記載領域１１２を含む。図１ｂに示されるように、１１４ｃページの個別情報記載領域１１２には製造会社により発行されるクーポンが含まれる。本発明の１つの実施形態によれば、折り畳み式小冊子の１１４ａ〜１１４ｄページはミシン目の入った降り線１１６によって分かれており、消費者はサンプル台紙１０４の一部、たとえばクーポンを切り離しやすい。これに加えて、前述のように、接着帯状片１０６の切り離し線１０８は接着帯状片１０６の上下の切り込みであり、これによって消費者は接着帯状片１０６を上から下にきれいに破り取ることができる。
【００４２】
本発明によれば、図１ｃと１ｄはサンプルパッケージ１１０の別の実施形態である。図１ｃは、サンプル台紙１０４が折り畳み式小冊子、たとえば地図方式の折り畳み式小冊子であることを示している。図１ｄは、サンプル台紙１０４が従来の小冊子、たとえば綴じられている様式の小冊子であることを示しており、これは一方の縁辺で綴じられている。明確には示されていないが、図１ｃと図１ｄは、図１ａと１ｂに関して上述したサンプルパッケージ１１０の特徴を含んでいてもよい。上述の小冊子は業界においてはしばしば、ブックレットラベルおよび／または展開式情報記載ラベル（ｅｘｐａｎｄｅｄ  ｃｏｎｔｅｎｔ  ｌａｂｅｌ）（ＥＣＬ）と呼ばれる。
【００４３】
図２は、本発明の１つの実施形態を示す。図の実施形態によれば、サンプル１０２とサンプル台紙１０４が取り付けられてサンプルパッケージ１１０を形成する。本発明の１つの実施形態によれば、サンプルパッケージ１１０は、２つの接着帯状片１０６を使って、無線綴じまたは中綴じの刊行物２０２の背に取り付けられる。本発明の他の実施形態では、サンプルパッケージ１１０は、１つの接着帯状片１０６を使って刊行物２０２に取り付けられる。これに加えて、本発明の他の実施形態では、サンプルパッケージ１１０は、糊および／またはステープルを使って、無線綴じ、ステープル綴じ、糸綴じ、または中綴じの刊行物２０２の背に取り付けられる。糸綴じの刊行物は、ハードカバーがない点を除き、ハードカバー版の刊行物と同様に構成される。この綴じ方は、ハートカバーの刊行物と同程度の耐久性がある。中綴じは、刊行物の中央の折り目をステープルで留め、それによって複数枚重ねた二つ折りの紙の１組を結合して、１冊の刊行物にすることによって遂行される。たとえば、ほとんどの漫画本は中綴じである。サンプルパッケージ１１０が刊行物２０２を何冊も積み重ねることに影響を与えないようにするためには、サンプルパッケージ１１０の厚さが刊行物２０２の厚さを超えないようにする必要がある。
【００４４】
サンプルパッケージ１１０の前面から刊行物２０２の前面まで延びる接着帯状片１０６が図２に示されている。図２に示されていない第二の接着帯状片１０６が、サンプルパッケージ１１０の裏から刊行物２０２の裏表紙まで延びる。それゆえ、サンプルパッケージ１１０は、サンプル台紙１０４が実質的に刊行物２０２の裏表紙と同一平面になり、サンプルパッケージ１１０が刊行物２０２の裏表紙から水平に延びるように、刊行物２０２に取り付けられる。本発明の１つの実施形態によれば、サンプルパッケージ１１０は、図２に示されるように、図１ａ〜１ｄに関して上述した特徴のいくつかまたは全部を含む。これに加えて、サンプルパッケージ１１０は接着帯状片１０６を介して刊行物２０２に取り付けられているが、接着帯状片１０６の代わりにまたはその補足として、糊（永久性または剥離性）を使用できると想定される。他の実施形態では、サンプル台紙１０４が刊行物２０２の裏表紙と重なり、その際、接着剤１０６によりサンプル台紙１０４が重複領域に取り付けられる。
【００４５】
本発明の他の実施形態において、サンプルパッケージ１１０は、サンプルパッケージ１１０と刊行物の裏表紙の重複領域に接着帯状片１０６を利用することにより、刊行物２０２に取り付けられる。接着帯状片１０６は、サンプルパッケージ１１０の右前側から刊行物２０２の裏側へとこれらが重複した状態で延びる。それゆえ、サンプルパッケージ１１０は、サンプル台紙１０４が実質的に刊行物２０２の裏表紙と同一平面となり、サンプルパッケージ１１０が刊行物２０２の裏表紙から重複して水平に延びるように、刊行物２０２に取り付けられる。本発明の１つの実施形態によれば、サンプルパッケージ１１０は、図２に示されるように、図１ａ〜１ｄに関して上述した特徴のいくつかまたは全部を含む。これに加えて、サンプルパッケージ１１０は接着帯状片１０６を介して刊行物２０２に取り付けられているが、接着帯状片１０６の代わりにまたはその補足として、糊（永久性または剥離性）を使用できると想定される。
【００４６】
サンプルパッケージ１１０を刊行物２０２の長さのどの部分にも取り付けられることがわかる。１つの実施形態によれば、サンプルパッケージ１１０は、刊行物２０２の長さの上４分の１に限定される。これは、刊行物が定期刊行物（雑誌等）であり、サンプルパッケージ１１０が刊行物２０２の背に取り付けられる位置が低すぎると本発明のサンプルパッケージ１１０の障害となるようなラックや棚に陳列して販売されることが多い場合に、特に適当である。
【００４７】
図３ａと３ｂは、本発明のある実施形態を示す。図の実施形態によれば、サンプルパッケージ１１０は、切り離し線１０８を有する接着帯状片１０６を使って刊行物２０２の無線綴じ部に取り付けられている。図３ａに示されるように、サンプルパッケージ１１０の裏面が刊行物２０２の背に載る。サンプルパッケージ１１０が何冊か積み重ねられた刊行物２０２に影響を与えないようにするためには、サンプルパッケージ１１０の幅を刊行物２０２の厚さより大きくしないようにする必要がある。図３ｂは、刊行物２０２に取り付けられたサンプルパッケージ１１０の側面の図である。
【００４８】
図４ａと４ｂは、本発明のある実施形態を示す。図の実施形態によれば、サンプルパッケージ１１０は、切り離し線１０８を有する接着帯状片１０６を使って刊行物２０２に取り付けられている。図４ａに示されるように、サンプルパッケージ１１０の裏面が刊行物２０２の背に載る。本発明のこの実施形態では、サンプルパッケージ１１０は刊行物２０２の背の半分より下まで延びる。延ばされたサンプルパッケージ１１０には大きな個別情報記載領域１１２を含めることができると想定される。これに加えて、図４ａと４ｂに示される切り離し線により、サンプルパッケージのサンプル部分を取り外すことができ、その一方で、大きな個別情報記載領域１１２を刊行物２０２の上に残すことができる。これには、刊行物２０２の最初の購入者ではないかもしれないその刊行物の読者に対しても広告を行うという顕著な利点がある。たとえば、サンプルパッケージ１１０が取り付けられた雑誌を医院が購入した場合、最初の数人が読んだ後にサンプルパッケージ１１０のサンプル部分が手つかずの状態のままである可能性は低い。しかしながら、本発明のこの実施形態によれば、後の読者にも、そのサンプルに関する広告によって影響を与える機会がある。
【００４９】
図５ａ〜５ｅは、刊行物に取り付けられたサンプルパッケージ１１０の図である。図５ａと５ｂでは、液体用ブリスタ包装を含むサンプルパッケージ１１０が雑誌に取り付けられている。図５ａにおいて、サンプルパッケージ１１０は図２と同様の方法で刊行物の背から延びている。図５ｂにおいて、サンプルパッケージ１１０は図３ａと３ｂと同様の方法で雑誌の背と接触している。図５ｃでは、粉状サンプルの入ったサンプルパッケージ１１０が、図４ａと４ｂと同様の方法で書籍の背に取り付けられている。図５ｄでは、製品のミニチュア版の入ったサンプルパッケージ１１０が図２と同様の方法で刊行物の背から延びている。図５ｅでは、製品のミニチュア版であるサンプル１０２の入ったサンプルパッケージ１１０が図３ａと３ｂと同様の方法で雑誌の背と接触している。
【００５０】
図５ｆ〜５ｈは、消費者向け商品に取り付けられたサンプルパッケージ１１０の図である。図５ｆ〜５ｈにおいて、サンプルパッケージ１１０はブリスタ包装を含む。図５ｆでは、ブリスタ包装には液体サンプルが充填されている。図５ｇでは、ブリスタ包装には固体サンプル、たとえば錠剤が充填されている。図５ｈでは、サンプルパッケージ１１０には固体の消費者向け商品のサンプルが収容されている。この場合、サンプル品はデンタルフロスで、消費者向け商品は歯磨きである。関連するサンプルをパッケージすることにより、広告主はそのターゲット層に到達できる。サンプルパッケージ１１０が消費者向け商品のどの位置にも、すなわち上、側面等にも取り付けられることに注目するべきである。
【００５１】
図６は、本カバーに取り付けられたサンプルパッケージの図である。具体的には、本カバーは３つの主要部分、すなわち前カバー６０６、背カバー６０４、および裏カバー６０２からなる。サンプルはさまざまな方法で本カバーに取り付けてよいが、この実施形態によれば、サンプルパッケージ１１０は本カバーの背カバー６０４に取り付けられている。図の実施形態によれば、切り取り、またはその他の方法で開口部６０８が背カバー６０４に形成される。その後、希望に応じて、製品のコピーおよび／またはロゴの情報は、本カバーに直接か、開口部６０８と同等の切り取り領域を有し、背カバー６０４に接着される、サンプル製品に関するラベルの形で印刷できる。サンプルパッケージ１１０は、開口部６０８から見え、および／または突出する。本カバーが書籍にかけられると、サンプルパッケージ１１０はそのまま、書籍から本カバーを取り外さなくても見ることができ、および／またはこれに触ることができる。これに加えて、サンプルパッケージ１１０には、本カバーの背カバー６０４の下に隠れて見えない製品情報を含めてもよい。本発明のこのタイプの実施形態の例の図が図７ｂ〜７ｄに示されている。
【００５２】
１つの実施形態によれば、図７ｂと７ｃには、本カバーに直接か、または本カバーに取り付けられるラベルのいずれかに印刷されるコピー領域１１２（図１ａに示されるものと同様）を含めることができる。１つの実施形態によれば、サンプルパッケージ１１０が背カバー６０４の下に設置され、コピーが背カバー６０４に直接印刷される。他の実施形態によれば、サンプルパッケージ１１０が背カバー６０４の上に設置され、それゆえ、本カバーに開口部６０８を設ける必要がなくなる。この実施形態によれば、コピー領域１１２は、サンプルパッケージ１１０の上、または小冊子／展開式情報記載ラベル（図１ｂ〜１ｄに示すものと同様）の中のいずれかにある。
【００５３】
これに加えて、本発明の他の実施形態によれば、図７ａに示されるように、サンプルパッケージ１１０は３ａと３ｂに示されるものと同様の方法で背カバー６０４に取り付けられている。
【００５４】
図７ｄと８ａは、刊行物および／または商品、たとえば、これらに限定されないが、刊行物、筆箱、クレヨンおよび／またはサインペンの箱、書類整理箱、ホルダ等にページ見出しを取り付けることに関連する実施形態を示す。図７ｄは、刊行物の本カバーから見え、かつ利用できるページ見出しの図である。図８ａは、３穴バインダの背に取り付けられたページフラッグディスペンサの図である。本発明の各種の実施形態によれば、ページフラッグディスペンサは、刊行物の綴じられた背に直接、図７ｄに示されるように本カバーの上、図６に示されるものと同様の、本カバーの切り取り領域６０８を有し、そこからページフラッグディスペンサが突出する刊行物の領域６０４の綴じられた背に設けることができる。
【００５５】
図８ｂは、３穴バインダに取り付けられたサンプルパッケージ１１０の図である。
【００５６】
本発明の他の実施形態によれば、サンプルパッケージは、全体が刊行物の外に出ている必要はない。すなわち、本発明の実施形態は、サンプルパッケージの一部が刊行物の中にあり、サンプルパッケージの一部が刊行物の外に出るように、刊行物に糊付けし、または糸で綴じてもよい。
【００５７】
図９ａと９ｂに示されるように、サンプルパッケージ１１０は、刊行物２０２に挿入され、その中に延びる（破線で示される）。サンプルパッケージ１１０は、上で詳しく述べたように、サンプル１０２を含む。図９ａでは、サンプルパッケージ１１０が刊行物２０２の背に綴じ込まれている。図９ｂでは、サンプルパッケージ１１０が刊行物２０２の背以外の領域に接着（糊付け）されている。図９ａと９ｂにおいて、サンプルパッケージ１１０とサンプル１０２は刊行物２０２を開かなくても見える。それゆえ、本発明のこの実施形態には上で詳しく述べたような利点がある。
【００５８】
本発明の各種の実施形態（たとえば、これらに限定されないが、前述のものを含んだ）によれば、厚手のボール紙か挿入用小冊子を使ってサンプルパッケージ１１０を形成できる。サンプルパッケージ１１０は、サンプルパッケージ１１０が刊行物２０２から外に延び、その刊行物２０２はサンプル１０２を取り外して使用できるように、刊行物中のどの地点にも設置できる。本発明の各種の実施形態によれば、サンプルパッケージは、中綴じおよび無線綴じの刊行物のどちらにも挿入できる。
【００５９】
本発明の各種の実施形態によれば、サンプルパッケージは、刊行物のあるページの上部に設置でき、刊行物の中に綴じ込んでも（綴じ込み式インサート）、永久性または剥離性の糊で接着（糊付け）してもよい。これに加えて、サンプルパッケージを刊行物の綴じられた部分に糸でかがり付ける場合、サンプルパッケージにはサンプルおよび／または小冊子／ボール紙を切り離すことができるようなミシン目を設けることができる。本発明の１つの実施形態によれば、サンプルパッケージを小冊子で形成する場合、小冊子の閉じた方の縁辺が雑誌の内側の背に当たるように挿入することが好ましい。
【００６０】
本発明の各種の実施形態によれば、サンプルパッケージの長さと幅はさまざまであってもよく、すなわち、サンプルパッケージが刊行物の中のあるページの特定の部分を占める必要はない。たとえば、図１０ａは、刊行物２０２の中に挿入することによって刊行物２０２に取り付けられたサンプルパッケージ１１０の図である。図１０ａでは、サンプルパッケージ１１０は半ページ分のインサートである。このインサートを図１０ｂに示す。図１０ｂに示されるように、サンプルパッケージ１１０は、サンプル台紙１０４、サンプル１０２、および、たとえばサンプル１０２の製品のための広告スペースとして使用可能な個別情報記載領域１１２を有する。
【００６１】
本発明の他の実施形態によれば、図１０ｃに示されるように、サンプル１０２ａ〜１０２ｃを含む複数のサンプルパッケージ１１０ａ〜１１０ｃが１冊の刊行物２０２の異なるページに取り付けられる。たとえば、サンプルパッケージ１１０ａを刊行物２０２の１００ページに挿入し、サンプルパッケージ１１０ｂを刊行物２０２の２００ページに挿入し、サンプルパッケージ１１０ｃを刊行物２０２の３００ページに挿入することができる。サンプルパッケージの（ｘ、ｙおよびｚ軸に沿った）位置をずらすことにより、複数のサンプルパッケージを、取り付けられたどのサンプルパッケージも見えなくならないように、１冊の刊行物に取り付けることができる。本発明の１つの実施形態によれば、第一のサンプルパッケージはサンプルが刊行物の前に向くように取り付けられ、第二のサンプルパッケージはサンプルが刊行物の裏に向くように取り付けられる。この構成は、サンプルを刊行物の前表紙と裏表紙の両方に位置付けられた広告に含める場合に有益であろう。
【００６２】
本発明の他の実施形態によれば、図１１ａは、刊行物２０２に挿入することによって刊行物２０２に取り付けられたサンプルパッケージ１１０の図である。図１１ｂにおいて、サンプルパッケージ１１０は約１／６ページ分のインサートである。この実施形態によれば、より小さいインサートを使用することによって、インサート以降のページの障害となる程度が低くなる。たとえば、サンプルパッケージ１１０の次にサンプル１０２の製品のための広告が少なくとも１ページ続く場合、広告主は、そのような次のページの障害が少なくなるように望むことができる。このインサートが図１１ｂに示されている。図１１ｂに示されるように、サンプルパッケージ１１０は、サンプル台紙１０４、サンプル１０２、および、たとえばサンプル１０２の製品のための広告スペースとして使用可能な個別情報記載領域１１２を有する。
【００６３】
図９ａ〜１１ｂにおいて、サンプル１０２は、本発明の１つの実施形態によれば、サンプル台紙１０４に打ち抜きにより穴を開け、それによってできた折り畳みフラップの中にサンプルを挟むことにより、所定の位置に保持できる。本発明の他の実施形態によれば、サンプル１０２をチューブ状容器１２０２（図１２ａ〜１３ｄに示される）の中に格納することができる。
【００６４】
図１２ａ〜１３ａは、刊行物２０２に挿入することによって刊行物２０２に取り付けられているチューブ状容器１２０２の図である。図１２ａと１２ｂにおいて、チューブ状容器１２０２は、破線で示される挿入部を介して刊行物１２０２に取り付けられている。図のように、図１２ａと１２ｂでは、チューブ状容器１２０２は、刊行物２０２の上と側面の両方に取り付けることができる。さらに、本発明はまた、チューブ状容器を、挿入部を介して刊行物の底部に取り付けられることも想定している。チューブ状容器を利用する本発明の実施形態は、郵送により配布される刊行物に特に適している。
【００６５】
図１３ｂは、刊行物２０２に挿入することによって刊行物２０２に取り付けるように構成された容器サンプルパッケージ１３０２の図である。１つの実施形態によれば、容器のサンプルパッケージ１３０２はサンプル台紙１０４に取り付けられたチューブ状容器１２０２を有する。チューブ状容器１２０２にはサンプル１０２が収容され、同じ台紙１０２は個別情報記載領域１１２を有する。図１３ｂに示される実施形態によれば、容器サンプルパッケージ１３０２は、刊行物１２０２の丸１ページを占める。さらに、サンプル台紙１０４にミシン目を付けて、チューブ状容器１２０２を取り外しやすくすることができると想定される。図１３ｃと１３ｄは、チューブ状容器１２０２が刊行物２０２の側面ではなく上部に位置付けられる点を除き、図１２ａと１３ｂに示される実施形態と同様の方法で機能する。
【００６６】
本発明の各種の実施形態によれば、容器のチューブが接着剤によってサンプル台紙に取り付けられて、容器サンプルパッケージが形成される。その後、容器サンプルパッケージは刊行物に挿入され、（糸綴じまたは糊により）取り付けられる。各種の実施形態によれば、サンプル台紙のミシン目をボール紙の台紙の上の異なる位置に設置して、チューブ状容器からサンプル台紙１０４の一部または全部を取り外せるように、または取り外せる部分がないようにすることができる。これに加えて、複数のミシン目の線を使って、チューブ状容器を刊行物から取り外した時に、余分なサンプル台紙を除去できるようにすることが可能である。これに加えて、複数のミシン目を使用することにより、個別情報記載領域の中に取り付けたクーポンやその他のアイテムを手に入れやすくすることができる。
【００６７】
図１４ａ〜１４ｃは、本カバー１４０２の一部として形成されたサンプルパッケージの図である。図１４ａに示されるように、本カバー１４０２にはサンプル１０２が取り付けられている。図１４ｂと１４ｃに示されるように、本カバー１４０２によって、サンプル１０２を書籍に取り付けることが可能となる。これに加えて、図１４ｃに示されるように、ミシン目１４０４が本カバー１４０２を切りこむことにより、サンプル１０２を取り外しやすくする。
【００６８】
以上、本発明を説明したところで、当業者にとっては、本発明の主旨と範囲から逸脱することなく、これにさまざまな方法で変更を加えてもよいことが明らかであろう。このような変更はすべて、以下の特許請求の範囲の中に含められるものとする。
【図１ａ−１ｂ】
2013533182.tif 000003
【図１ｃ】
2013533182.tif 000004
【図１ｄ】
2013533182.tif 000005
【図２】
2013533182.tif 000006
【図３ａ−３ｂ】
2013533182.tif 000007
【図４ａ−４ｂ】
2013533182.tif 000008
【図５ａ−５ｃ】
2013533182.tif 000009
【図５ｄ−５ｅ】
2013533182.tif 000010
【図５ｆ−５ｈ】
2013533182.tif 000011
【図６】
2013533182.tif 000012
【図７ａ−７ｂ】
2013533182.tif 000013
【図７ｃ−７ｄ】
2013533182.tif 000014
【図８ａ】
2013533182.tif 000015
【図８ｂ】
2013533182.tif 000016
【図９ａ−９ｂ】
2013533182.tif 000017
【図１０ａ−１０ｂ】
2013533182.tif 000018
【図１０ｃ】
2013533182.tif 000019
【図１１ａ−１１ｂ】
2013533182.tif 000020
【図１２ａ−１２ｂ】
2013533182.tif 000021
【図１３ａ−１３ｂ】
2013533182.tif 000022
【図１３ｃ−１３ｄ】
2013533182.tif 000023
【図１４ａ】
2013533182.tif 000024
【図１４ｂ】
2013533182.tif 000025
【図１４ｃ】
2013533182.tif 000026
【国際調査報告】
2013533182.tif 000027
2013533182.tif 000028
2013533182.tif 000029